(57)【要約】【課題】本発明は、賞状や図面を収納する際の巻き始めに発生するシワの発生防止および巻きグセの解消に役立ち、賞状や図面の出し入れがスムーズできるシワ防止用巻き筒を提供する。【解決手段】市販の円筒形賞状入れや図面ケースにおいて、その内径よりやや小径の巻き筒（１）にガイド帯（３）を設け、ガイド帯（３）の一端であるガイド帯端部（４）を介して巻き筒（１）に取り付けたことを特徴とする。【選択図】図１
2018058326.tif 000002
【特許請求の範囲】
【請求項１】
市販の円筒形賞状入れや図面ケースにおいて、その内径よりやや小径の巻き筒（１）にガイド帯（３）を設け、ガイド帯（３）の一端であるガイド帯端部（４）を介して巻き筒（１）に取り付けたことを特徴とするシワ防止用巻き筒。
【請求項２】
巻き筒（１）のサイド端部に巻き方向矢印（５）を表示してなる請求項１のシワ防止用巻き筒。
【発明の詳細な説明】
【技術分野】
【０００１】  本発明は、賞状入れや図面ケースとして使用される円筒形筒型ケースあるいは角型筒ケースにおいて、卒業式などでもらった賞状や新築の家の設計図面等を収納する際、巻き始めに発生するシワの発生防止および巻きグセの解消に役立つシワ防止用巻き筒に関するものである。
【背景技術】
【０００２】  従来から使用されている代表的な円筒形筒型賞状ケースの形状を図６に示す。この図にて使用説明すると、賞状や図面などを円筒形筒型賞状ケースに収納するには、ケースの内側の径などの大きさ以下に丸めてから収納しなければならない。しかしながら、この丸め作業が非常に大変である。小さな学童をはじめとし大人でさえもこの丸め作業において、賞状や図面の巻き始めにシワを発生させてしまうためである。特に賞状などの固い紙質の物は、ことさら大変であるが薄い紙質の図面紙等においてもこの現象は例外ではない。
【先行技術文献】
【特許文献】
【０００３】
【特許文献１】特許平５−３２０９１号公報
【特許文献２】実開平１−８３５８３号公報
【発明の概要】
【発明が解決しようとする課題】
【０００４】    上記特許文献は、丸めたものが筒内で元に戻ろうとする力が働くため、筒内で圧接され取り出しにくいという欠点を解消するための先行技術である。賞状ケース中央付近にスライド筒を設けるような構造とし、そのスライド筒を短くすることにおいて、従来の外筒収納筒の長さも短かくすることを可能にするとともに、蓋となる円筒状の筒を従来形状より長くしてスライド筒を中央部あたりで嵌合して成る構造である。
このような構造ゆえ、収納した賞状と外筒収納内径および長くした蓋の内径との間に、間隙を持たせ接触面積を少なくして摩擦柢抗を減らす作用効果をもって、簡単に取り出すようにしたものである。
一方、他の先行技術は角型ケースであるが、丸めた際そこに生じる空間を利用して、圧接される摩擦抵抗を軽減して取り出しやすくした方法である。これらの先行技術は、空間を利用して摩擦抵抗を減らすという目的において共通した点がある。
しかしながら、賞状や図面などを収納する際に巻き始めに生じるシワの発生防止や巻き込んだ際に生じるような巻シワの反りの解消とは全く目的を異にするものであるため、次のような欠点は解消されず残ったままである。【０００５】ゆえに、以下のような欠点があった。
（イ）円筒形賞状入れや角型および円筒形図面ケースを問わず、図面ケースに収納する際、賞状や図面などを丸める作業が伴うが、ケースに収納可能な細径に巻き込む必要があるため、巻き始めにシワや折れが発生する。
（ロ）賞状入れや図面ケースに収まった物を取り出す際、元に戻ろうとする力が働くため、筒内で圧接され取り出しに苦労してシワや折れなどが発生したりする。また薄物の図面などにおいてはその圧接の抵抗力で破損してしまうことがある。
（ハ）巻き込まれた賞状や図面は、必ず巻きクセが発生する。一例として額縁等に収納する際、この発生した巻きクセを平らに直す際には反対側の反り方向に巻き直す必要があり、相当の反力があることから、巻き始めのとき以上にさらにシワや折れが発生しやすくなる。
【課題を解決するための手段】
【０００６】  本発明は、市販されている既存の円筒形賞状入れや図面ケースに嵌装して使用するものである。
既存の円筒形賞状入れや図面ケースの内径より、やや小径の巻き筒（１）にガイド帯（３）を設け、ガイド帯（３）の一端であるガイド帯端部（４）を介して巻き筒（１）に取り付けたことを特徴とするシワ防止用巻き筒。
本発明は、以上のように構成されたシワ防止用巻き筒である。
【発明の効果】
【０００７】  巻き筒（１）を巻き始めの際のガイドとして利用することが出来るため、ガイド帯（３）に挟みガイド帯端部（４）に接触させた賞状（２）を手で押さえながら、巻き寿司を巻くような感覚で一緒に巻き込む事が可能なため、難しいと言われる巻き始めにシワや折れを発生させない効果がある。
また、巻き込まれた賞状や図面は、元に戻ろうとする反力で、内筒（１２）に圧接されるが、巻き筒（１）に設けている巻き方向矢印（５）の回転方向に巻き込んでやれば、簡単に直径が萎む方向に行くため、径を小さくすることが出来、圧接は解消されスムーズに取り出すことが可能となる。
次に円筒形賞状入れや図面ケースに巻き込まれた賞状や図面は、短時間であっても巻きクセがついてしまう。これを平らに戻すには、全く逆方向に巻き戻しなければならないが、この巻き戻し作業は、巻き始め作業時とは比較にならないほどシワや折れが発生しやすい。しかし、巻き始めと同様に反対方向にガイド帯（４）に挟んだ賞状（２）を手で押さえながら、巻き直し作業をすることが可能であり、シワや折れを発生させずに容易に反りを取り平らにすることができる。
【図面の簡単な説明】
【０００８】
【図１】本発明の使用状態の展開斜視図である。
【図２】本発明の直線状のガイド帯端部を示した部分断面の拡大斜視図である。
【図３】本発明の挿入使用状態を示す斜視図である。
【図４】図２のガイド帯端部の直線部端を鍵状にした部分断面の拡大斜視図である。
【図５】図３の挿入使用状態に固定バンドを設けた斜視図である。
【図６】従来の図面ケースにおいて本発明を嵌装した使用状態を示す斜視図である。
【発明を実施するための形態】
【０００９】  以下、本発明を実施するための形態について説明する。
既存の円筒形賞状入れや図面ケースの内径より、やや小さい径の巻き筒（１）にはガイド帯（３）を取付ける。そのガイド帯（３）は、破線状の取付けしろをもつガイド帯端部（４）を巻き筒（１）の軸方向に取り付けている。
ガイド帯（３）の軸方向の縦幅は、装着する賞状（２）や図面などの幅よりやや広めの幅を持っている。横方向の長さは同様に装着する賞状や図面等より長めの巻きしろを持った長さである。
ガイド帯端部（４）は、図２のように直線状の取付けであるが、図４の如く直線状部のガイド端両端をＬ字型の鍵状にするガイド帯端部（４ａ）を作り、袋状のポケットにすることでもよい。この袋状のポケットの場合は、巻き込み時の賞状や図面の保持を直線状のガイド帯端部（４）以上に保持を容易にすることができる。また、図５の如く巻き付けた状態を保持したい場合は、固定バンド（６）を設けてもよい。
ガイド帯（３）の材質は、和紙、障子紙、不織布、化学繊維、ビニール、テーブルクロス生地など接着可能な材質であれば特に限定されることなく任意のものでよい。取付け方法は、接着方法に限定するものでなく溶着、圧着  嵌入など材質にマッチした任意の取付け方法で良い。巻き筒（１）の材質は、円筒状の厚紙のような安価なものでよいが、他の材質としてプラスチック等の樹脂や塩ビなどの薄肉の円筒状のパイプ等であってもよい。
巻き筒（１）の両端面の外径部および内径部には巻き方向を示す巻き方向矢印（５）を設けている。巻き筒（１）の長さは、市販されている円筒形賞状入れの収納筒（１１）と内筒（１２）を足し合わせた長さと同等かもしくは蓋（１３）を閉めても収納可能な長さとしている。即ち、図６にはケース内に嵌装して収まる取り合い寸法も示している。
本発明は、以上のような構造である。
本発明を使用するときは、このガイド帯端部（４）に、賞状（２）の一端部を接触させて、巻き筒（１）を巻き方向に回転させることにより、ガイド帯（４）とともに賞状（２）を一緒に巻き込むようにする。
ガイド帯に巻き込まれ収納された賞状や図面は、円筒形賞状入れや図面ケースの中で反力によって開こうとする作用があり、従来品と同様に取り出し時には内筒面に接触し摩擦抵抗によって取り出しにくい点がある。この解消については、巻き筒（１）の両端部の内外径部にはシマル方向を表示した巻き方向矢印（５）を持っており、その方同に回転することによって、賞状や図面は径が小さくなる方向に萎むため、摩擦抵抗がなくなり簡単に取り出すことが可能である。
特に、巻きグセを修正する場合には、巻きグセが付いた反対方向に巻き始めるため、シワや折れが非常に発生しやすく厄介であるが、巻き始めと同様な動作で巻き筒（１）に巻き込む事が可能であり、シワや折れを発生させることなく簡単に平面に戻すことができる。
お客様に提示するような持家の設計図面などは、特にシワや折れなどが発生しないように特別な配慮が必要であるが、本発明の使用において防止することが可能となる。
【符号の説明】
【００１０】  １    巻き筒
２    賞状
３    ガイド帯
４    ガイド帯端部
４ａ  ガイド帯端部
５    巻き方向矢印
６    固定バンド
１１  収納筒
１２  内筒
１３  蓋
【図１】
2018058326.tif 000003
【図２】
2018058326.tif 000004
【図３】
2018058326.tif 000005
【図４】
2018058326.tif 000006
【図５】
2018058326.tif 000007
【図６】
2018058326.tif 000008